(57)【要約】    【課題】各種プリンタを使用している企業ユーザーに、カートリッジへの消耗品のリフィールをより積極的に行って貰える環境を実現できる消耗品販売システムを、提供する。    【解決手段】消耗品販売システムは、トナーカートリッジ２５が空となった際にその旨を示す使用終了通知をインターネットを介して消耗品販売装置１０に送信する複数台のプリンタ２０と、各プリンタ２０からの使用終了通知と、各企業ユーザーによる新品トナーカートリッジ２５の購入数とに基づき、トナーのリフィールせずに、トナーカートリッジ２５を回収に回して新品トナーカートリッジ２５を購入した場合よりも、トナーのリフィールを行った方が、高い環境貢献ポイントが算出されるアリゴリズムにより算出される各企業ユーザーに関する環境貢献ポイントを、企業ユーザー名と共に、Ｗｅｂページにてインターネット上に公開する消耗品販売装置１０とを含む。    【選択図】図１
2008276463.tif 000002
【特許請求の範囲】
【請求項１】
プリンタの，リフィール回数に上限があるカートリッジ内に充填されて使用される消耗品を、カートリッジ内にリフィールする形で販売するために、インターネットに接続されて使用される消耗品販売装置であって、
前記カートリッジの販売数と前記消耗品のリフィール注文数とを、企業ユーザー名と対応づけた形で、企業ユーザー毎に、管理する管理手段と、
前記管理手段が管理している前記販売数と前記リフィール注文数とから、２企業ユーザーの消耗品の総取得量が同じ場合、リフィール回数の上限により近い回数までカートリッジに消耗品をリフィールしている企業ユーザーについての環境貢献ポイントの方が高くなるアルゴリズムにより各企業ユーザーに関する環境貢献ポイントを算出する環境貢献ポイント算出手段と、
前記環境貢献ポイント算出手段が各企業ユーザーについて算出した環境貢献ポイントを、企業ユーザー名と共に、Ｗｅｂページにてインターネット上に公開する情報公開手段と
を備えることを特徴とする消耗品販売装置。
【請求項２】
複数台のプリンタと、
複数台のプリンタとインターネットを介して接続された、各プリンタの，リフィール回数に上限があるカートリッジ内に充填されて使用される消耗品を、カートリッジ内にリフィールする形で販売するための消耗品販売装置とを、含み、
前記複数台のプリンタのそれぞれが、
セットされている前記カートリッジ内の消耗品が無くなったときに、前記消耗品販売装置に対して、その旨を示す使用終了通知を送信する装置であり、
前記消耗品販売装置は、
前記カートリッジの販売数と前記使用終了通知の受信数とを、企業ユーザー名と対応づけた形で、企業ユーザー毎に、管理する管理手段と、
前記管理手段が管理している前記販売数と前記受信数とから、２企業ユーザーの消耗品の総取得量が同じ場合、リフィール回数の上限により近い回数までカートリッジに消耗品をリフィールしている企業ユーザーについての環境貢献ポイントの方が高くなるアルゴリズムにより各企業ユーザーに関する環境貢献ポイントを算出する環境貢献ポイント算出手段と、
前記環境貢献ポイント算出手段が各企業ユーザーについて算出した環境貢献ポイントを、企業ユーザー名と共に、Ｗｅｂページにてインターネット上に公開する情報公開手段と
を備えた装置である
ことを特徴とする消耗品販売システム。
【請求項３】
前記複数台のプリンタのそれぞれが、
セットされている前記カートリッジ内の消耗品が無くなったときに、前記消耗品販売装置に対して、前記使用終了通知として、当該カートリッジのシリアル番号と自装置のシリアル番号とを含む情報を送信する装置であり、
前記消耗品販売装置の管理手段が、
それに含まれるカートリッジのシリアル番号とプリンタのシリアル番号とから正当なものであると判定された前記使用終了通知のみの受信数を管理する手段である
ことを特徴とする請求項２記載の消耗品販売システム。
【請求項４】
前記複数台のプリンタのそれぞれが、
セットされている前記カートリッジ内の消耗品が無くなったときに、前記消耗品販売装置に対して、前記使用終了通知として、当該カートリッジのシリアル番号を含む情報を送信する装置であり、
前記消耗品販売装置の環境貢献ポイント算出手段が、
環境貢献ポイントを算出するための前記アルゴリズムとして、カートリッジの容量を必要とするものを使用する手段であると共に、各プリンタが送信してきた前記使用終了通知に含まれるカートリッジのシリアル番号から、当該アルゴリズムで環境貢献ポイントを算出するために必要とされるカートリッジの容量を特定する手段である
ことを特徴とする請求項２記載の消耗品販売システム。
【発明の詳細な説明】
【技術分野】
【０００１】
本発明は、プリンタのトナーやインクを、カートリッジ内にリフィールする形で販売するための消耗品販売装置及び消耗品販売システムに、関する。
【背景技術】
【０００２】
現在、プリンタメーカーによって販売されているトナーカートリッジやインクカートリッジは、実際には、トナーやインクを，何回かはリフィール（再充填）して使用することが可能な強度を有するものとなっている。そして、トナーやインクをカートリッジにリフィールして使用した方が環境にやさしいことは事実であるため、各プリンタのユーザーに、カートリッジへの消耗品のリフィールをより積極的に行って貰える環境を実現できる技術が望まれる。
【発明の開示】
【発明が解決しようとする課題】
【０００３】
そこで、本発明の課題は、各プリンタのユーザー（企業ユーザー）に、カートリッジへの消耗品のリフィールをより積極的に行って貰える環境を実現できる消耗品販売装置，消耗品販売システムを提供することにある。
【課題を解決するための手段】
【０００４】
上記課題を解決するために、本発明の、プリンタの，リフィール回数に上限があるカートリッジ内に充填されて使用される消耗品を、カートリッジ内にリフィールする形で販売するために、インターネットに接続されて使用される消耗品販売装置は、カートリッジの販売数と消耗品のリフィール注文数とを、企業ユーザー名と対応づけた形で、企業ユーザー毎に、管理する管理手段と、管理手段が管理している販売数とリフィール注文数とから、２企業ユーザーの消耗品の総取得量が同じ場合、リフィール回数の上限により近い回数までカートリッジに消耗品をリフィールしている企業ユーザーについての環境貢献ポイントの方が高くなるアルゴリズムにより各企業ユーザーに関する環境貢献ポイントを算出する環境貢献ポイント算出手段と、環境貢献ポイント算出手段が各企業ユーザーについて算出した環境貢献ポイントを、企業ユーザー名と共に、Ｗｅｂページにてインターネット上に公開する情報公開手段とを、備える。
【０００５】
すなわち、本発明の消耗品販売装置は、『リフィール回数の上限により近い回数までカートリッジに消耗品をリフィールしている企業ユーザーについての環境貢献ポイントの方が高くなるアルゴリズム』（消耗品のリフィールせずに、カートリッジを回収に回して新品カートリッジを購入した場合よりも、消耗品のリフィールを行った方が、高い環境貢献ポイントが算出されるアリゴリズム）により算出される各企業ユーザーに関する環境貢献ポイントを、企業ユーザー名と共に、Ｗｅｂページにててインターネット上に公開する装置となっている。従って、この消耗品販売装置を用いておけば、環境貢献ポイントの公開によるブランドイメージの向上をインセンティブとして、各企業ユーザーに、より積極的に消耗品のリフィールを行って貰えることになる。
【０００６】
また、本発明の消耗品販売システムは、複数台のプリンタと、複数台のプリンタとインターネットを介して接続された、各プリンタの，リフィール回数に上限があるカートリッジ内に充填されて使用される消耗品を、カートリッジ内にリフィールする形で販売するための消耗品販売装置とを含むシステムでって、各プリンタが、セットされているカートリッジ内の消耗品が無くなったときに、消耗品販売装置に対して、その旨を示す使用終了通知を送信する装置であり、消耗品販売装置が、カートリッジの販売数と使用終了通知の受信数とを、ユーザー名と対応づけた形で、ユーザー毎に、管理する管理手段と、管理手段が管理している販売数と受信数とから、２ユーザーの消耗品の総取得量が同じ場合、リフィール回数の上限により近い回数までカートリッジに消耗品をリフィールしているユーザーについての環境貢献ポイントの方が高くなるアルゴリズムにより各ユーザーに関する環境貢献ポイントを算出する環境貢献ポイント算出手段と、環境貢献ポイント算出手段が各ユーザーについて算出した環境貢献ポイントを、ユーザー名と共に、Ｗｅｂページにてインターネット上に公開する情報公開手段とを備えた装置であるシステムとなっている。
【０００７】
すなわち、この消耗品販売システム内の消耗品販売装置は、本発明の消耗品販売装置（請求項１記載の消耗品販売装置）が公開する情報と本質的には同じ情報を公開する装置となっている。ただし、請求項１記載の消耗品販売装置が、或る企業ユーザーが消耗品のリフィール注文を出したときに、その企業ユーザーに関する環境貢献ポイントが変わる装置であるのに対し、消耗品販売システム内の消耗品販売装置は、或る企業ユーザーによって使用されていた，消耗品がリフィールされたカートリッジが空になったときに、環境貢献ポイントが変わる装置となっている。従って、本発明の消耗品販売システムを用いておけば、各企業ユーザーに、より積極的に消耗品のリフィールを行って貰える環境であると共に、環境貢献ポイントが変更されるタイミングが，実際の消耗品の使用状況と一致している環境を、実現できることになる。
【０００８】
なお、本発明の消耗品販売システムを実現する際には、同じ状況にある（カートリッジが交換されていない）同じプリンタによって送信された２度目の使用終了通知により環境貢献ポイントが変更されないようにするために、各プリンタを、セットされているカートリッジ内の消耗品が無くなったときに、消耗品販売装置に対して、使用終了通知として、当該カートリッジのシリアル番号と自装置のシリアル番号とを含む情報を送信する装置としておき、消耗品販売装置の管理手段を、それに含まれるカートリッジのシリアル番号とプリンタのシリアル番号とから正当なものであると判定された使用終了通知のみの受信数を管理する手段としておくことが、望ましい。
【０００９】
また、消耗品のリフィールが可能な各カートリッジとして、さまざまな容量のカートリッジが存在する場合には、本発明の消耗品販売システム内の各プリンタを、セットされているカートリッジ内の消耗品が無くなったときに、消耗品販売装置に対して、使用終了通知として、当該カートリッジのシリアル番号を含む情報を送信する装置としておくと共に、消耗品販売装置の環境貢献ポイント算出手段を、環境貢献ポイントを算出するためのアルゴリズムとして、カートリッジの容量を必要とするものを使用する手段であると共に、各プリンタが送信してきた使用終了通知に含まれるカートリッジのシリアル番号から、当該アルゴリズムで環境貢献ポイントを算出するために必要とされるカートリッジの容量を特定する手段としておくことが、出来る。
【発明を実施するための最良の形態】
【００１０】
以下、本発明を実施するための最良の形態を、図面を参照して詳細に説明する。
【００１１】
図１に示してあるように、本発明の一実施形態に係る消耗品販売システムは、消耗品販売装置１０と複数台（図では、二台）のプリンタ２０とが、インターネットを介して接続されたシステムである。
【００１２】
この消耗品販売システム内の各プリンタ２０は、トナーのリフィール（最充填）が可能なトナーカートリッジ２５をセットして使用するプリンタ（各種機種のプリンタ）である。
【００１３】
各機種のプリンタ２０用のトナーカートリッジ２５には、リフィールカウンタ値，トナーカートリッジシリアルナンバー等を暗号化した形で記憶したＥＥＰＲＯＭ２６が，取り付けられている。ここで、リフィールカウンタ値とは、自カートリッジに対するトナーのリフィール回数を示す数値（新品である場合には、“０”〕のことである。また、トナーカートリッジシリアルナンバーとは、トナーカートリッジ２５のシリアルナンバーのことである。このトナーカートリッジシリアルナンバーは、トナーカートリッジ２５の型式（種類）を示す型式情報を含む情報となっている。
【００１４】
そして、消耗品販売システム内の各プリンタ２０は、自装置にセットされているトナーカートリッジ２５内のトナーが無くなった際に、プリンタシリアルナンバー（自プリンタ２０のシリアルナンバー）、そのトナーカートリッジ２５のＥＥＰＲＯＭ２６に記憶されているトナーカートリッジシリアルナンバー及びリフィールカウンタ値を含む所定形式の情報（以下、使用終了通知と表記する）を、消耗品販売装置１０に対して送信する装置となっている。
【００１５】
消耗品販売装置１０は、プリンタ２０及びトナーカートリッジ２５の販売や、トナーカートリッジ２５へのトナーのリフィール（リフィールによるトナーの販売）を行う企業（以下、プリンタメーカーと表記する）が、運用する装置である。この消耗品販売装置１０は、コンピュータに、各種のプログラムや、所有者管理用データベース１１，使用・ＷＰ情報データベース１２（各データベース用の元ファイル）をインストールした装置となっている。
【００１６】
所有者管理用データベース１１は、図２に示した構成のプリンタ管理テーブルと、図３に示した構成のトナーカートリッジ管理テーブルとを含むデータベースである。
【００１７】
プリンタ管理テーブル（図２）は、或るプリンタ２０が或る企業ユーザーに対して販売されたときに，当該プリンタ２０のプリンタシリアルナンバーと当該企業ユーザーの名称とが設定されたレコードが、オペレータ（プリンタメーカーの従業員）によって追加されるテーブルである。
【００１８】
トナーカートリッジ管理テーブル（図３；以下、ＴＣ管理テーブルとも表記する）は、新品のトナーカートリッジ２５が，プリンタ２０と共に，或いは，単独で，或る企業ユーザーに対して販売されたときに、当該トナーカートリッジ２５のトナーカートリッジシリアルナンバー，当該企業ユーザーの名称が設定されており，Ｎｒｗ値，Ｎｒｒ値が、それぞれ、“０”，“１”となっているレコードが，オペレータによって追加されるテーブルである。また、ＴＣ管理テーブルは、或るトナーカートリッジ２５に対するトナーリフィールが行われた場合（或るトナーカートリッジ２５のＥＥＰＲＯＭ２６上のトナーリフィールカウンタ値が“１”インクリメントされた場合）には、そのトナーカートリッジに関するレコード（そのトナーカートリッジのトナーカートリッジシリアルナンバーを含むレコード）中のＮｒｗ値が，オペレータによって“１”インクリメントされるテーブルともなっている。
【００１９】
仕様・ＷＰ情報データベース１２（図１参照）は、複数の型式情報（トナーカートリッジシリアルナンバーに含まれる、トナーカートリッジ２５の型式を示す情報）のそれぞれについて，対応する型式のトナーカートリッジ２５に関するカートリッジ使用耐久数Ｎｃｍ（トナーのリフィールが可能な最大回数）とトナー容量Ｍｔとを記憶したカートリッジ仕様情報テーブルを含むデータベースである。
【００２０】
さらに、仕様・ＷＰ情報データベース１２は、図５に示した構成のウェブページ情報テーブルを含むデータベースとなっている。
【００２１】
このウェブページ情報テーブルは、或る企業ユーザーが、初めてプリンタ２０を購入したとき（１台目のプリンタ２０を購入したとき）に、その企業ユーザーの名称、その企業ユーザーが指定したホームページのＵＲＬ、“０”，“０”が、それぞれ、企業ユーザー名，ＨＰ−ＵＲＬ、環境貢献ポイント，トナー消費量として設定されたレコードが、オペレータによって追加されるテーブルである。
【００２２】
そして、消耗品販売装置１０は、上記した使用終了通知を受信したときに、図５に示した手順の処理を行うことにより、Ｗｅｂページ情報テーブル（図４）内のトナー消費量等やＣＴ管理テーブル（図３）内のＮｒｒ値を更新する装置であると共に、図６に示したようなＷｅｂページ〔企業ユーザー名（図では，企業名）と環境ポイントとが，環境ポイント順に示されたＷｅｂページ〕をインターネット上に公開するＷｅｂページ公開機能を有する装置となっている。
【００２３】
より具体的には、消耗品販売装置１０は、使用終了通知を受信した場合、以下のように動作する装置となっている。
【００２４】
この場合、消耗品販売装置１０は、図５に示してあるように、まず、受信した使用終了通知中のプリンタシリアルナンバー（以下、Ｎｐと表記する）と対応づけられている（Ｎｐを含むレコード中の）企業ユーザー名（以下、Ｕｐと表記する）をプリンタ管理テーブル（図２）から読み出す処理（ステップＳ１０１）と、受信した使用終了通知中のトナーカートリッジシリアルナンバー（以下、Ｎｃと表記する）と対応づけられている企業ユーザー名（以下、Ｕｐと表記する）及びＮｒｒ値を、ＴＣ管理テーブル（図３）から読み出す処理（ステップＳ１０２）とを行う。
【００２５】
次いで、消耗品販売装置１０は、Ｕｐ＝Ｕｃが成立しているか否かを判断（ステップＳ１０３）し、Ｕｐ＝Ｕｃが成立していた場合（ステップＳ１０３；ＹＥＳ）には、Ｎｒ＝Ｎｒｒ＋１が成立しているか否かを判断する（ステップＳ１０４）。
【００２６】
そして、消耗品販売装置１０は、Ｎｒ＝Ｎｒｒ＋１が成立していた場合（ステップＳ１０４；ＹＥＳ）には、ＴＣ管理テーブル内の，Ｎｃ（受信した使用終了通知中のトナーカートリッジシリアルナンバー）と対応づけられているＮｒｒ値に“１”を加算する処理（ステップＳ１０５）と、Ｎｃ中の型式情報に基づき，仕様情報テーブルから、処理対象トナーカートリッジ（受信した使用終了通知が、空となったことを示しているトナーカートリッジ２５）のトナー容量Ｍｔとカートリッジ使用耐久数Ｎｃｍとを読み出す処理（ステップＳ１０６）とを、行う。
【００２７】
その後、消耗品販売装置１０は、Ｗｅｂページ情報テーブル（図４）内の，Ｕｐ（＝Ｕｃ）と対応づけられているトナー使用量に、仕様情報テーブルから読み出したトナー容量Ｍｔを加算（ステップＳ１０７）してから、Ｎｒｒ＝０が成立しているか否か（＝受信した使用終了通知中のトナーリフィールカウンタ値が“０”であるか否か／受信した使用終了通知が、新品のトナーカートリッジ２５の使用終了により送信されたものであるか否か）を判断する（ステップＳ１０８）。
【００２８】
そして、消耗品販売装置１０は、Ｎｒｒ＝０が成立していなかった場合（使用が終了したトナーカートリッジ２５が，トナーがリフィールされたトナーカートリッジ２５であった場合；ステップＳ１０８；ＮＯ）には、Ｗｅｂページ情報テーブル内の，Ｕｐと対応づけられている環境貢献ポイントに、α・Ｎｃｍ・Ｍｔを加算する処理（ステップＳ１０６）を行ってから、この図の処理を終了する。なお、αとは、オペレータが，その値を変更することが可能な比例係数（デフォルト値は、“１”）のことである。
【００２９】
消耗品販売装置１０は、Ｎｒｒ＝０が成立していた場合（使用が終了したトナーカートリッジ２５が，新品のトナーカートリッジ２５であった場合；ステップＳ１０８；ＹＥＳ）、すなわち、には、Ｗｅｂページ情報テーブル内のいずれの環境貢献ポイントも変更することなく、この図の処理を終了する。
【００３０】
また、消耗品販売装置１０は、Ｕｐ＝Ｕｃが成立していなかった場合（ステップＳ１０３；ＮＯ）、或いは、Ｎｒ＝Ｎｒｒ＋１が成立していなかった場合（ステップＳ１０４；ＮＯ）には、各種テーブル上のデータを更新する処理を何ら行うことなく、この図の処理を終了する。なお、図５の処理を、Ｎｒ＝Ｎｒｒ＋１が成立していなかった場合に、トナー使用量や環境貢献ポイントを更新しない処理としてあるのは、同じ状況にある同じプリンタ２０から送信された２度目の使用終了通知（或いは、ＥＥＰＲＯＭ２６上の情報が改竄されているプリンタ２０から送信された使用終了通知）によって、トナー使用量や環境貢献ポイントが更新されるのを防ぐためである。また、図５の処理を、Ｕｐ＝Ｕｃが成立していなかった場合に、トナー使用量や環境貢献ポイントを更新しない処理としてあるのは、この場合、実際にトナーを使用したのが、どちらの企業ユーザーであるかが分からないためである。
【００３１】
そして、本実施形態に係る消耗品販売装置１０が有しているＷｅｂページ提供機能は、企業ユーザー名及び環境ポイントが，環境ポイント順（或いは企業名順）に示されるＷｅｂページであって，各企業ユーザー名が各企業ユーザーのホームページ（そのＵＲＬが、Ｗｅｂページ情報テーブル内のＨＰ−ＵＲＬとなっているＷｅｂページ）にリンクされているＷｅｂページ（図６）用のソースデータや、企業ユーザー名及びトナー消費量が，トナー消費量順（或いは企業名順）に示されるＷｅｂページであって，各企業ユーザー名が各企業ユーザーのホームページにリンクされているＷｅｂページ用のソースデータを、ダイナミックに生成してその要求元ＰＣに送信可能な機能となっている。
【００３２】
要するに、本実施形態に係る消耗品販売装置１０は、図７に模式的に示したように、新品のトナーカートリッジ２５の使用が終了した場合（Ｎｒ＝０となっている使用終了通知を受信した場合）には、当該トナーカートリッジ２５を使用した企業ユーザーに関するＷｅｂページ情報テーブル内のトナー消費量のみを更新し、トナーがリフィールされたトナーカートリッジ２５（図７では、リフィールＴＣ）の使用が終了した場合（Ｎｒ≠０となっている使用終了通知を受信した場合）には、当該トナーカートリッジ２５を使用した企業ユーザーに関するＷｅｂページ情報テーブル内のトナー消費量及び環境貢献ポイントを更新する装置となっている。また、環境貢献ポイントに加算している値が，α・Ｎｃｍ・Ｍｔ（比例計数・カートリッジ使用耐久数・トナー容量）であることから明らかなように、消耗品販売装置１０が算出・管理している環境貢献ポイントは、リフィールトナーの総使用量が同じであっても、カートリッジ使用耐久数がより大きなトナーカートリッジ２５を使用している企業ユーザー（新品カートリッジの使用回数がより少ないが故に、より環境に貢献していると見なせる企業ユーザー）に関する環境貢献ポイントの方が大きくなるものとなっている。
【００３３】
さらに、消耗品販売装置１０は、各企業ユーザーに関する環境貢献ポイントやトナー残量（つまり、一般ユーザーが、各企業ユーザーによるリフィールトナーカートリッジの使用率が分かる情報）を公表する機能を有する装置となっている。そして、消耗品販売装置１０が公表する情報は、各企業ユーザーによるリフィールトナーカートリッジの使用率が分かる情報であるため、本実施形態に係る消耗品販売システムを用いておけば、環境貢献ポイント等の公開によるブランドイメージの向上をインセンティブとして、各企業ユーザーに、より積極的にトナーのリフィールを行って貰えることになる。
【００３４】
《変形形態》
上記した消耗品販売システムは、各種の変形を行うことが出来る。例えば、各プリンタ２０を、使用終了通知を送信する機能を有さないものとしておき、消耗品販売装置１０を、各種Ｗｅｂページ上に表示する環境貢献ポイント等を，各企業ユーザーに関するトナーのリフィール注文数と、新品トナーカートリッジ２５の注文数とから、算出する装置に変形しておくことが出来る。また、消耗品販売装置１０を、上記したものとは具体的な構成が異なる装置（ＰＣに提供するＷｅｂページの構成が異なる装置、環境貢献ポイントの算出アルゴリズムが異なる装置、トナー以外の消耗品をリフィール販売するための装置）に変形しても良いことは、当然のことである。
【図面の簡単な説明】
【００３５】
【図１】本発明の一実施形態に係る消耗品販売システムの構成図。
【図２】実施形態に係る消耗品販売装置内の使用者管理用データベースに含まれるプリンタ管理テーブルの説明図。
【図３】使用者管理用データベースに含まれるトナーカートリッジ管理テーブルの説明図。
【図４】実施形態に係る消耗品販売装置内の使用・ＷＰ情報データベースに含まれるＷｅｂページ情報テーブルの説明図。
【図５】実施形態に係る消耗品販売装置が、使用終了通知の受信時に実行する処理の流れ図。
【図６】実施形態に係る消耗品販売装置が、インターネットを介してＰＣに提供するＷｅｂページの説明図。
【図７】実施形態に係る消耗品販売システムにおけるトナー消費量，環境貢献ポイントの更新手順を説明するための図。
【符号の説明】
【００３６】
１０  消耗品販売装置、  １１  使用者管理用データベース
１２  仕様・ＷＰ情報データベース、  ２０  プリンタ
２５  トナーカートリッジ、  ２６  ＥＥＰＲＯＭ
【図１】
2008276463.tif 000003
【図２】
2008276463.tif 000004
【図３】
2008276463.tif 000005
【図４】
2008276463.tif 000006
【図５】
2008276463.tif 000007
【図６】
2008276463.tif 000008
【図７】
2008276463.tif 000009